(57)【特許請求の範囲】
【請求項１】
容器の口部に取り付け可能なキャップ本体と、前記キャップ本体の上端を開閉するカバーキャップとを有する容器キャップであって、前記キャップ本体に外方に突出して設けられている注出ノズルと、前記注出ノズルの外側に外嵌していて前記注出ノズルの上端を内包して覆う進出位置と前記注出ノズルの上端を露出させる後退位置との間に前記注出ノズルの軸心方向に摺動可能なスリーブと、及び前記キャップ本体上に支点を有するレバーであって一端が前記スリーブに係合しているレバーとを有し、前記カバーキャップの前記開閉動作中の動きによって前記レバーの他端を駆動して前記スリーブを前記軸心方向に駆動するように構成し、前記カバーキャップは前記キャップ本体の上端を閉じた姿勢において前記進出位置における前記スリーブの上端開口部に挿入可能な止め栓を内側面に突出して備え、前記カバーキャップの閉じる動作により前記スリーブを前記進出位置に駆動しかつ前記カバーキャップの内側面に設けられた止め栓を前記スリーブの上端開口部に挿入し、
前記カバーキャップの開く動作により前記スリーブを前記後退位置に駆動しかつ前記止め栓を前記スリーブの上端開口部から引き抜き前記注出ノズルから容器内容物を注出可能とするように構成したことを特徴とする注出口汚れ防止キャップ。
【請求項２】
前記カバーキャップからは係合片が延出していて前記係合片が前記駆動時に前記レバーの他端に係合可能であることを特徴とする請求項１記載の注出口汚れ防止キャップ。
【請求項３】
前記容器キャップは前記キャップ本体と前記カバーキャップがヒンジ部を介して連設されているヒンジキャップであることを特徴とする請求項１記載の注出口汚れ防止キャップ
【発明の詳細な説明】
【０００１】
【産業上の利用分野】
この発明は液体内容物をボトルから注出する時に使用する液体注出キャップ、特にボトルの注出口の汚れを防止することができる液体注出キャップに関するものである。
【０００２】
【従来の技術】
ボトルの口部に取り付けた液体注出キャップにおいて、油、ソース、ケチャップなど特に粘度の高い液体内容物をボトルを傾けて注出し、かつ注出が終わってボトルの傾きを元に戻した時に、注出ノズルの部分で内容物が液漏れしてキャップ本体やボトルの側面を汚すことがあることは周知である。この液漏れの原因としては、注出後にボトルの傾きを元に戻した時に注出ノズルの先端部分にあった液体内容物が、ボトルの内部に戻り切らずに残留し、注出ノズルの外面に沿って流れ落ちるからである。
【０００３】
この液漏れ現象を解決するために、注出ノズルをガイド筒の内外に進退可能に構成し、液体内容物を注出した後には、注出ノズルをガイド筒内に後退させ、液体内容物の残留部分が付着した注出ノズルの先端部分をガイド筒で覆って液漏れを防止することも考えられている（特開平１１−７０９６０号公報参照）。
【０００４】
【課題】
しかしながら、この従来の液漏れ防止の構造は部品数が多く、構造がきわめて複雑である。
【０００５】
この発明は上記の如き事情に鑑みてなされたものであって、部品数が少なくてすみ、構造が簡単で、動作が確実であり、かつ製造の容易な注出口汚れ防止キャップを提供することを目的とするものである。
【０００６】
【構成】
この目的に対応して、この発明の容器の口部に取り付け可能なキャップ本体と、前記キャップ本体の上端を開閉するカバーキャップとを有する容器キャップであって、前記キャップ本体に外方に突出して設けられている注出ノズルと、前記注出ノズルの外側に外嵌していて前記注出ノズルの上端を内包して覆う進出位置と前記注出ノズルの上端を露出させる後退位置との間に前記注出ノズルの軸心方向に摺動可能なスリーブと、及び前記キャップ本体上に支点を有するレバーであって一端が前記スリーブに係合しているレバーとを有し、前記カバーキャップの前記開閉動作中の動きによって前記レバーの他端を駆動して前記スリーブを前記軸心方向に駆動するように構成し、前記カバーキャップは前記キャップ本体の上端を閉じた姿勢において前記進出位置における前記スリーブの上端開口部に挿入可能な止め栓を内側面に突出して備え、前記カバーキャップの閉じる動作により前記スリーブを前記進出位置に駆動しかつ前記カバーキャップの内側面に設けられた止め栓を前記スリーブの上端開口部に挿入し、
前記カバーキャップの開く動作により前記スリーブを前記後退位置に駆動しかつ前記止め栓を前記スリーブの上端開口部から引き抜き前記注出ノズルから容器内容物を注出可能とするように構成したことを特徴としている。
【０００７】
【実施例】
以下この発明の詳細を一実施例を示す図面について説明する。
図１から図３において、１は容器キャップである。容器キャップ１はキャップ本体２とカバーキャップ３とを有する。キャップ本体２は容器４の口部５にねじ６によって取り付け可能であり、カバーキャップ３はキャップ本体２の上端を開閉可能である。キャップ本体２とカバーキャップ３は別体で構成してもよいが、この実施例はキャップ本体２とカバーキャップ３はヒンジ９によって連設されて一体となってヒンジキャップを構成する。ヒンジ９は樹脂材料が屈曲可能な薄肉となって構成する。キャップ本体２は上端近傍において仕切り板７が中心軸８に垂直に内部空間１１を横断して設けられており、仕切り板７から注出ノズル１２が中心軸８方向に沿って外方に突出している。
【０００８】
ノズル１２の外側には筒状のスリーブ１３が摺動可能に外嵌している。スリーブ１３の中心軸８方向の長さはノズル１２の突出高さとほぼ同じである。スリーブ１３は摺動によって中心軸８の方向に進退することが可能で、上方に進出した進出位置においてはノズル１２の上端１４を内包して覆っており、下方に後退した後退位置においてはその上端１５がほとんどノズル１２の上端１４と一致してその上端１４を露出させる。また、キャップ本体２の仕切り板７上には駆動レバー１６が配置されている。駆動レバー１６はほぼ長板状で、中央部の両側に図４及び図５に示すように、駆動レバー１６の支点１９を構成する軸棒１８を延出させて具えており、先端２１は左部分２１ａ、右部分２１ｂに二股に分かれており、また、後端は上下に二股に分かれていて、上方の引上部３１と、下方の押圧部３２を設けてある。引上部３１の長さは押圧部３２の長さよりもわずかに短い。左部分２１ａ及び右部分２１ｂの内側には係合突部２３が形成されており、またスリーブ１３の外面には係合凹部２４が形成されており、係合突部２３が係合凹部２４に嵌入することによって駆動レバー１６とスリーブ１３が連結し、先端２１が支点１９の回りに揺動するにつれ、スリーブ１３が進出位置から後退位置まで上下動する。キャップ本体２の仕切板７上に一対の支枠３３が立設され、その上端に軸受部３４が設けられている。駆動レバー１６の軸棒１８は軸受部３４に回転可能に嵌入していて、これによって駆動レバー１６は支枠３３に揺動可能に支持されている。一方、カバーキャップ３の天板３５の内面からは円筒状の止め栓２５が突出している。この止め栓２５はカバーキャップ３がキャップ本体２の上面を閉じた状態ではスリーブ１３の上端に挿入してスリーブ１３の上端開口部を閉じる。
【０００９】
次にこのように構成された容器キャップ１の動作について説明する。
図６（ａ）に示すように、最初のカバーキャップ３がキャップ本体２を閉じた状態においては、カバーキャップ３の押圧片２６が駆動レバー１６の後端の押圧部３２を完全に下まで押し下げ、したがって駆動レバー１６の反対側の先端２１が上に上がり、スリーブ１３を最上位置まで押し上げている。この状態ではスリーブ１３は液体内容物の注出口となるノズル１２の上端１４を内包して覆っている状態になっており、スリーブ１３の上端には止め栓２５が挿入されているので、たとえノズル１２に液体内容物が付着していたとしても、それが注出口となる上端１４を汚すことはない。
【００１０】
次に液体内容物を注出するために、カバーキャップ３を開け始めると、カバーキャップ３の押圧片２６が駆動レバー１６の引上部３１を引き上げ始め、駆動レバー１６の先端２１が下降し始め、かつカバーキャップ３の止め栓２５がスリーブ１３から抜ける（図６（ｂ））。さらにカバーキャップ３の開き度合いが大きくなるにつれて、ますますスリーブ１３は下降し（図６（ｃ））、ついに下限位置、すなわち、ノズル１２の上端とスリーブ１３の上端とが面一となる第１の位置若しくはノズル１２の上端よりもスリーブ１３の上端の方がわずかに上になる第２の位置まで下降しノズル１２の上端はほぼ露出する（図６（ｄ））。この状態では駆動レバー１６の後端の引上部３１は水平位置よりやや上にあって、カバーキャップ３の押圧片２６と干渉しないまたは材料の弾性変形によって干渉を離脱可能な位置に来るので、押圧片２６と引上部３１の係合は解消し、カバーキャップ３は大きく開くことができる（図６（ｃ））。この状態で容器４を傾けてノズル１２から液体内容物を注出することができる。注出が終わって、カバーキャップ３を閉じると、上記とは逆の経過をたどって、スリーブ１３がノズル１２の上端を覆って内包する。
【００１１】
スリーブ１３の下限位置においてノズル１２の上端とスリーブ１３の上端とが面一となる第１の位置の関係にあるときには、内容物はノズル１２のみに付着しているため、内容物頂面の高さ位置に変化はなく、スリーブ１３が上昇し、密封性を確保する。またスリーブ１３の下限位置においてノズル１２の上端よりもスリーブ１３の上端の方がわずかに上になる第２の位置の関係にあるときには、内容物はノズル１２の上端面とスリーブ１３の上端面の両方にわたって付着しているために、スリーブ１３の上昇に伴って、内容物頂面の高さ位置も上昇し、内容物全体の体積変化が生じ、内容物が負圧化するため、内容物は容器内に吸い戻し（サックバック）される。かつスリーブ１３の上端が止め栓２５によって閉じられた状態となり、ノズル１２内の残留内容物は封止されて、注出口であるノズル１２の上端１４の汚れが防止される。
【００１２】
【発明の効果】
この発明の注出口汚れ防止キャップは、増加する部品として駆動レバー１６とスリーブ１３の２物品だけで汚れ防止機能を発揮することができ、この２物品も連絡部の構造を選択して薄肉可撓構造とすることによって、１物品とすることもでき、いずれにしても部品数がきわめて少なく、かつ汚れ防止は完全な封止機能によって実現し、動作も簡潔である。
【００１３】
以上の説明から部品数が少なくてすみ、構造が簡単で、動作が確実であり、かつ製造の容易な注出口汚れ防止キャップを得ることができる。
【００１４】
【図面の簡単な説明】
【図１】容器キャップの平面図
【図２】容器キャップの縦断面図でカバーキャップを閉じた状態を示す
【図３】容器キャップの縦断面図でカバーキャップを開いた状態を示す
【図４】支点部分を示す縦断面説明図
【図５】ノズルとスリーブとの係合部分を示す縦断面説明図
【図６】容器キャップの動作を示す説明図
【符号の説明】
１      容器キャップ
２      キャップ本体
３      カバーキャップ
４      容器
５      口部
６      ねじ
７      仕切り板
８      中心軸
９      ヒンジ
１１    内部空間
１２    ノズル
１３    スリーブ
１４    （ノズルの）上端
１５    （スリーブの）上端
１６    駆動レバー
１７    中央部
１８    軸棒
１９    支点
２１    先端
２１ａ  左部分
２１ｂ  右部分
２３    係合突部
２４    係合凹部
２５    止め栓
２６    押圧片
３１    引上部
３２    押圧部
３３    支枠
３４    軸受部
【図１】
0004048822.tif 000002
【図２】
0004048822.tif 000003
【図３】
0004048822.tif 000004
【図４】
0004048822.tif 000005
【図５】
0004048822.tif 000006
【図６】
0004048822.tif 000007